(57)【特許請求の範囲】
【請求項１】
少なくとも１つの壁（４）によって少なくとも第１室（２）と第２室（３）とに内部を区分されている剛性ケーシング（１）と、第１室（２）を貫通し、壁に固着された第１端部（５１）を有し、且つ第２室（３）をケーシング（１）の外部に密封態様で連通させるように働く管状パイプ（５）とを包含するブースタであって、パイプ（５）がその第１端部（５１）においてその直径が減少する内方環状リム（５１ａ）を有し、壁が管状部分（４３ａ）の開口端部から成るオリフィス（４３）を有し、ブースタが、管から成り且つパイプの内方リム（５１ａ）と相互作用して第２室（３）とパイプ（５）の内部との間の密封連結部を提供する保持部材（６）を含んでいる真空型ブースタにおいて、前記管状部分（４３ａ）が前記壁（４）によって形成され、保持部材（６）が、少なくとも１つの停止部片により壁の管状部分上に保持部材を保持できるようにする半径方向の弾性を与えられている第１端部（６１）と、壁と相互作用してパイプの内方リム（５１ａ）を閉じ込めこのリムにシールの機能をもたせるようにする第２端部（６２）とを有することを特徴とするブースタ。
【請求項２】
請求項１記載のブースタにおいて、保持部材（６）の第１端部（６１）がオリフィスの端縁部の近傍で壁の管状部分に当接することを特徴とするブースタ。
【請求項３】
請求項２記載のブースタにおいて、保持部材（６）の第１端部（６１）が、この保持部材を半径方向に弾性的に拡開可能にすることができる軸線方向切欠部（６１ａ）を有することを特徴とするブースタ。
【請求項４】
請求項２又は３記載のブースタにおいて、保持部材（６）がその第１端部（６１）を介してパイプの第１端部（５１）及び壁のオリフィス（４３）を貫通し、保持部材の第２端部が、第１室（２）に向けて指向する壁の面（４１）に対してパイプの内方リム（５１ａ）を押圧するカラー（６２ａ）を形成していることを特徴とするブースタ。
【請求項５】
請求項４記載のブースタにおいて、前記停止部片が保持部材（６）の第１端部（６１）に形成され、オリフィスの端縁部と相互作用する突起（６１ｂ）の形状をなしていて、保持部材がオリフィス（４３）内に係合した後この保持部材が引き出されるのを防止することを特徴とするブースタ。
【請求項６】
請求項２及び３のいずれか１項に記載のブースタにおいて、保持部材（６）が壁の管状部分上に滑合され、停止部片がこの管状部分に形成されていることを特徴とするブースタ。
【請求項７】
請求項１ないし６のいずれか１項に記載のブースタにおいて、壁の管状部分が拡開形状部によって壁の残部に連結されていることを特徴とするブースタ。
【請求項８】
請求項１ないし７のいずれか１項に記載のブースタにおいて、管状パイプが直線形のゲートルの形状をなしていることを特徴とするブースタ。
【発明の詳細な説明】
本発明は、少なくとも１つの壁によって少なくとも第１室と第２室とに内部を区分されている剛性ケーシングと、第１室を貫通し、壁に固着された第１端部を有し、且つ第２室をケーシングの外部に密封態様で連通させるように働く管状ゲートルとを包含する真空型ブースタに関する。
この型式のブースタが例えば米国特許第５，１７６，０６５号に記載されており、以下の説明中に参考としてこれが組み入れられている。
大量生産されるこの型式の装置において、ゲートルの取付けは高い製造コスト及び長い製造時間の原因となる大きな問題を呈している。
本発明はこれに関連するもので、急速に取付けできるようにする簡単で安価な装置を装備したブースタを提案することを目的としている。
この目的のため、本発明のブースタは、上記前文に従うと、本質的に、パイプがその第１端部においてその直径が減少する内方環状リムを有し、壁が管状部分の開口端部から成るオリフィスを有し、ブースタが、管から本質的に成り且つパイプの内方リムと相互作用して第２室とパイプの内部との間の密封連結部を提供する保持部材を包含することを特徴としている。
本発明の第１の可能な実施例によると、管状部分は前記壁によって形成されてよく、保持部材は、パイプの環状リムから離れたところでのパイプの内径に略等しい外径を有していてよく、この保持部材は、少なくとも１つの停止部片により壁の管状部分上に保持部材を保持できるようにする半径方向の弾性を与えられている第１端部と、壁と相互作用してパイプの内方リムを閉じ込めこのリムにシールの機能をもたせるようにする第２端部とを有する。
好ましくは、保持部材の第１端部はオリフィスの端縁部の近傍で壁の管状部分に当接し、この保持部材の第１端部は、この保持部材を半径方向に弾性的に拡開可能にすることができる軸線方向切欠部を有する。
例えば、保持部材はその第１端部を介してパイプの第１端部及び壁のオリフィスを貫通し、保持部材の第２端部は、第１室に向けて指向する壁の面に対してパイプの内方リムを押圧するカラーを形成している。
この場合、停止部片は例えば保持部材の第１端部に形成され、オリフィスの端縁部と相互作用する突起の形状をなしていて、保持部材がオリフィス内に係合した後この保持部材が引き出されるのを防止する。
他の可能な実施例によると、保持部材は壁の管状部分上に滑合され、停止部片はこの管状部分に形成されている。
本発明の好適な実施例によると、保持部材は金属製で、例えば鋼で作られており、管状パイプは有益的には略直線形のゲートルの形状をなしている。
これらすべての場合において、壁の管状部分を拡開形状部によって壁の残部に連結することが有益である。
さらに他の可能な実施例によると、保持部材は管状部分を形成し、前記壁を貫通している。
本発明の他の特徴及び利点は、非限定的な例として添付図面を参照して行う本発明の下記説明から明らかとなるであろう。
図１は、本発明の第１実施例によるブースタを部分的に断面で示す概略図である。
図２は、図１に見られる保持部材の拡大斜視図である。
図３は、本発明の第２実施例によるブースタの詳細断面図である。
図４は、図３に見られる保持部材の断面図である。
図５は、参考例を示すブースタの詳細断面図である。
図１に示されているように、本発明は、自動的に駆動できる、制動を補助するための空気圧ブースタにおける、好ましくはゲートルの形状をなした管の取付けに関する。
このようなブースタは、慣例的に、少なくとも１つの壁４によって少なくとも第１室２と第２室３とに内部を区分されている剛性ケーシング１と、第１室２を貫通し、壁４に固着された第１端部５１を有し、且つ第２室３をケーシング１の外部に密封態様で連通させるように働く略直線形の管状ゲートル５とを包含する。
本発明の最初の２つの実施例（図１及び３）によると、ゲートル５は、その第１端部５１により壁４の２つの面４１及び４２のうちの第１面４１に対しこの壁に形成したオリフィス４３のまわりで当接されている。
ゲートル５はその第１端部５１においてその直径が減少する内方環状リム５１ａを有し、ブースタはさらに保持部材６を包含する。
本発明の第１実施例を示す図２に示されているように、保持部材６は管から本質的に成り、管の第１端部６１は、この管を半径方向に弾性的に拡開可能にすることができる軸線方向切欠部６１ａを有し、管の第２端部６２はカラー６２ａを形成する。
保持部材６はケーシング１の外部そしてゲートルの第２端部５２からゲートル内へ挿入され、これを行うために、ゲートルの環状リム５１ａから離れたところでのゲートル５の内径に略等しい外径を有する。
再び図１に示されているように、保持部材６は、その第１端部６１を介しゲートル５の第１端部５１及び壁４に形成したオリフィス４３を貫通してオリフィス４３の端縁部に当接し、カラー６２ａをゲートルの内方リム５１ａに対して押圧するとともに、このリムを壁４の第１面４１に対して押しつける。
再び図１に示されているように、オリフィス４３は壁の管状部分４３ａの開口端部（図で右側）によって形成され、この管状部分の他端部（図でこの管状部分の左側）は壁４のゲートル５側に拡開した残部に連結されている。
図２に示されているように、保持部材６の第１端部６１は有益的には６１ｂのような突起を有し、この突起は停止部片を形成し、オリフィス４３の端縁部と相互作用して、保持部材がオリフィス内に係合した後この保持部材６が引き出されるのを防止する。
図３に示した第２実施例において、保持部材６は壁の管状部分４３ａ上に滑合され、この場合、管状部分はゲートルに向かって指向し、保持部材６を保持するようになっている４３０のような１つ又はそれ以上の停止部片を形成されている。
図４に示した保持部材は、その第１端部６１におけるよりもその第２端部において大きい内径を有しているので、保持部材は、壁の管状部分４３ａを壁の残部に連結する拡開部分に対してゲートルの内方リム51ａを押しつけることができる。
上述した実施例において、保持部材６は好ましくは金属製で、例えば鋼で作られている。
図５は参考例を示しており、好ましくはプラスチックで作られた保持部材６は、壁４に固着され、壁を貫通し、且つパイプ５の内方環状リム51ａと密封態様で相互作用する管状部分４３ａを形成している。
上述したすべての例において、パイプ５は、このパイプ内に挿入された外部から操作される図５で７のような工具によって、オリフィス４３に密封態様で容易に連結することができる。
【図１】
0003777555.tif 000002
【図２】
0003777555.tif 000003
【図３】
0003777555.tif 000004
【図４】
0003777555.tif 000005
【図５】
0003777555.tif 000006